(57)【特許請求の範囲】
【請求項１】
記憶手段に記憶された複数の画像データを連続して再生する画像再生装置において、
上記再生された画像を表示する表示手段と、
上記複数の画像データを一定時間毎に連続して循環して再生し、上記表示手段に表示させる連続再生モードに設定する設定手段と、
上記連続再生モードに設定された際に、上記記憶手段より読み出された画像データの再生処理を行う再生処理手段と、
上記再生処理手段によって処理された処理画像データが再生可能か否かを、連続再生を行う度に再生画像として所定のフォーマットを満たしているか否かによって判定する判定手段と、
を具備し、
上記判定手段によって上記処理画像データが再生可能でないと判定された際には、当該処理画像データを上記表示手段へ送出することを行わない或いは禁止して、上記再生処理手段によって上記処理画像データの次の画像データの再生処理を開始し、当該次の画像データが上記判定手段によって再生可能であると判定された場合には、上記表示手段に現在表示されている画像の表示を、当該再生可能であると判定された上記次の画像に更新するようにしたことを特徴とする画像再生装置。
【請求項２】
上記表示手段に画像が表示される一定時間は、上記再生処理手段による再生処理の時間よりも長いことを特徴とする請求項１に記載の画像再生装置。
【請求項３】
上記表示手段に現在表示されている画像の表示時間の経過後であっても、上記再生処理手段による再生処理が終了しない場合には、当該再生処理が完了するまで当該表示手段に警告表示を行って、現在表示手段に表示されている画像の表示を延長することを特徴とする請求項１に記載の画像再生装置。
【請求項４】
上記表示手段に現在表示されている画像の次に表示される予定の画像が、連続して再生不可能であると判定され、該表示手段に現在表示されている画像の表示時間が経過しても上記再生処理手段による再生処理が終了しない場合には、当該再生処理が完了するまで上記表示手段に警告表示を行って、該表示手段に現在表示されている画像の表示を延長することを特徴とする請求項１に記載の画像再生装置。
【請求項５】
上記再生処理手段による再生処理が終了した場合に、上記表示手段に表示されている警告表示をオフにして、上記表示手段に現在表示されている画像を再生処理が終了した画像に更新することを特徴とする請求項３または４に記載の画像再生装置。
【請求項６】
上記複数の画像を一定時間毎に連続に循環して再生するに際し、ｎ循環目に再生不可能であると判定された画像であっても、ｎ＋１循環目に再生可能であると判定された場合には、上記表示手段に現在表示されている画像を、ｎ＋１循環目に再生処理が終了した画像として更新することを特徴とする請求項１から４の何れか一つに記載の画像再生装置。
【請求項７】
記憶手段に記憶された複数の画像データを連続して再生する画像再生装置において、
上記再生された画像を表示する表示手段と、
上記複数の画像データを一定時間毎に連続的に循環して再生し、上記表示手段に表示させる連続再生モードに設定する設定手段と、
上記連続再生モードに設定された際に、上記記憶手段より読み出された画像データの再生処理を行う再生処理手段と、
上記再生処理手段によって処理された処理画像が再生可能か否かを、連続再生を行う度に再生画像として所定のフォーマットを満たしているか否かによって判定する判定手段と、
具備し、
上記判定手段によって上記処理画像データが再生可能でないと判定された際には、当該処理画像データを上記表示手段へ送出することを行わない或いは禁止して、上記再生処理手段に当該処理画像データを再度再生処理させ、当該再度再生処理された画像データが、上記判定手段によって再生可能であると判定された場合には、上記表示手段に現在表示されている画像の表示を、当該再度再生処理された画像に更新するようにしたことを特徴とする画像再生装置。
【発明の詳細な説明】
【０００１】
【発明の属する技術分野】
本発明は、固体撮像素子を用いた撮像装置で撮像され、記録媒体に記録された画像を再生する画像再生装置に関する。
【０００２】
【従来の技術】
近年、固体撮像素子を撮像手段に用い、この固体撮像素子で撮像した画像をメモリカードなどの画像の記憶媒体（記録媒体）に記録するデジタルカメラなどの電子的撮像装置が広く用いられるようになった。
【０００３】
この場合、画像データをそのまま記憶すると、そのデータ量が大きいため、記録できる駒数（枚数）が非常に制約されてしまうので、一般に画像圧縮回路で圧縮して画像データ量を小さくして記憶する。
最近の電子的撮像装置にはＬＣＤ等の表示装置を備え、記録媒体に記録された画像データを再生表示できる機能を備えたものが多くある。
【０００４】
そして、ユーザが記録媒体に記録された画像を確認等するために画像を連続再生させるスイッチ操作を行った場合には、記録媒体に圧縮された画像データを読み出し、伸長回路で伸長する処理を行って圧縮前の画像を復元した後、一定時間ディスプレイに表示し、次の画像データに対しても同様に処理して記録媒体に記録された画像を順次表示する。
【０００５】
このように、記録された画像を連続再生表示する場合、画像を復号化処理した画像データが再生可能ではあるが、画質が悪いのもがあったり、再生不能である場合にはそのまま表示すると、ノイズが目立つ画像を表示することになるため、そのような場合には全面を青にしたブルーバック表示を行う等していた。
【０００６】
従来例では画像を復号化処理した画像データが再生に適しないと判断した場合には、その情報をメモリ等に記憶しておき、次に記録媒体から再びその画像データを表示する際には、メモリ等に記憶した情報により、全面を青にしたブルーバック表示を行う等していた。
【０００７】
【発明が解決しようとする課題】
しかしながら、再生画質が悪い場合でも、その画像データそのものに、欠陥がある場合以外にも、一過性による原因で読み出された画像データがたまたま良くない画像データとなってしまう場合もある。
【０００８】
例えば、メモリカードの接続状態がたまたま接触不良に近い状態であったり、その読み出し時では何らかの原因でノイズが多かったために画像データの状態が良くなかった場合もある。このような一過性の原因の場合には、少し時間をおいた状態等の条件が異なる時に、読み出しを行った場合には、より良い画像データが得られる場合があり得る。これに対し、従来例ではメモリなどに再生不能という情報を記憶した場合には、次回にはその情報を参照して、再び複合化処理を行わないようにしているので、単に一過性の原因のために再生不能と判定された貴重な画像を再生することができないという問題があった。
【０００９】
（発明の目的）
本発明は、上述した点に鑑みてなされたもので、再生不能となった画像があっても、再生画像がとぎれることなく表示され、観察する場合の不快感を解消するこのができ、また上記再生不能となった原因が単に一過性のものであった場合には、次に再生できる可能性を確保した画像再生装置を提供することを目的としている。
【００１０】
上記目的を達成するため本発明の一態様による画像再生装置は、記憶手段に記憶された複数の画像データを連続して再生する画像再生装置において、
上記再生された画像を表示する表示手段と、
上記複数の画像データを一定時間毎に連続して循環して再生し、上記表示手段に表示させる連続再生モードに設定する設定手段と、
上記連続再生モードに設定された際に、上記記憶手段より読み出された画像データの再生処理を行う再生処理手段と、
上記再生処理手段によって処理された処理画像データが再生可能か否かを、連続再生を行う度に再生画像として所定のフォーマットを満たしているか否かによって判定する判定手段と、
を具備し、
上記判定手段によって上記処理画像データが再生可能でないと判定された際には、当該処理画像データを上記表示手段へ送出することを行わない或いは禁止して、上記再生処理手段によって上記処理画像データの次の画像データの再生処理を開始し、当該次の画像データが上記判定手段によって再生可能であると判定された場合には、上記表示手段に現在表示されている画像の表示を、当該再生可能であると判定された上記次の画像に更新する。
また、本発明による他の態様による画像再生装置は、記憶手段に記憶された複数の画像データを連続して再生する画像再生装置において、
上記再生された画像を表示する表示手段と、
上記複数の画像データを一定時間毎に連続的に循環して再生し、上記表示手段に表示させる連続再生モードに設定する設定手段と、
上記連続再生モードに設定された際に、上記記憶手段より読み出された画像データの再生処理を行う再生処理手段と、
上記再生処理手段によって処理された処理画像が再生可能か否かを、連続再生を行う度に再生画像として所定のフォーマットを満たしているか否かによって判定する判定手段と、
具備し、
上記判定手段によって上記処理画像データが再生可能でないと判定された際には、当該処理画像データを上記表示手段へ送出することを行わない或いは禁止して、上記再生処理手段に当該処理画像データを再度再生処理させ、当該再度再生処理された画像データが、上記判定手段によって再生可能であると判定された場合には、上記表示手段に現在表示されている画像の表示を、当該再度再生処理された画像に更新する。
【００１１】
また、本発明の他の態様による画像再生装置は、記憶手段に記憶された複数の画像を連続して再生する画像再生装置において、
上記再生された画像を表示する表示手段と、
上記複数の画像を一定時間毎に連続的に循環して再生し、上記表示手段に表示させる連続再生モードに設定する設定手段と、
上記連続再生モードに設定された際に、上記記憶手段より読み出された画像の再生処理を行う再生処理手段と、
上記再生処理手段によって処理された処理画像が再生可能か否かを判定する判定手段と、
具備し、
上記判定手段によって上記処理画像が再生可能でないと判定された際には、当該処理画像を上記表示手段へ送出することを行わない或いは禁止して、上記再生処理手段に当該処理画像を再度再生処理させ、当該再度再生処理された画像が、上記判定手段によって再生可能であると判定された場合には、上記表示手段に現在表示されている画像の表示を、上記一定時間の経過後に当該再度再生処理された画像に更新する。
【００１７】
【発明の実施の形態】
以下、図面を参照して本発明の実施の形態を説明する。
（第１の実施の形態）
図１ないし図４は本発明の第１の実施の形態に係り、図１は第１の実施の形態の画像再生装置の機能を備えた電子的撮像装置１の全体構成を示し、図２は連続再生の場合の処理内容をフローチャートで示す、図３は連続再生の動作の説明図を示し、図４は連続再生モードにおける再生表示される画像の具体例を示す。
【００１８】
図１に示すように本実施の形態の画像再生装置の機能を備えた電子的撮像装置１は、被写体像を結像し、焦点調節にも使用されるフォーカシングレンズを備えた光学系２と、この光学系２によって撮像面に結像された被写体像を光電変換する固体撮像素子と、その固体撮像素子の出力信号に対しアナログ信号からデジタル信号に変換して出力するＡ／Ｄ変換器とを有する撮像部３と、この撮像部３から出力されるデジタル信号に各種の処理を施す信号処理部４と、この信号処理部４の出力データを圧縮すべく（ＪＰＥＧ圧縮回路等で）符号化を行い、また圧縮して記録されているデータを再び伸張するために復号化を行う符号化／復号化部５と、この符号化／復号化部５により符号化されたデータを記録して保存しておくものであって、本電子的撮像装置１に着脱自在で、例えばフラッシュメモリ等を用いたメモリカードで構成される記録媒体６と、上記信号処理部４の出力を受けて画像を表示するための信号を出力するものであって駒番号や警告表示用のキャラクタ等を生成するキャラクタジェネレータを内蔵する駒番号重畳手段を備えた表示制御部７と、この表示制御部７の出力に基づいて制御され画像や駒番号等の表示を行う該電子的撮像装置１の背面側に配設された例えば液晶表示素子等で構成されるディスプレイ８と、上記光学系２のフォーカシングレンズの駆動を行うフォーカシングモータ９と、上述した各回路を含む電子的撮像装置１の統括的な制御を行う制御部１０と、この制御部１０に接続され、外部の図示しないプリンタに接続するためのプリンタインタフェース１６と、以下に説明する各種スイッチとを有している。
【００１９】
上記各種の操作スイッチは、この電子的撮像装置１のモードを撮影モードと再生モードとに切り換えるための撮影／再生切換スイッチ１１と、順序が規定されている対象、例えば駒番号等を昇順させて次の駒を再生表示させる昇順スイッチ１２と、逆に降順させて次の駒を再生表示させる降順スイッチ１３と、一定時間毎に連続的に循環して再生表示させる連続再生スイッチ１４と、電子的撮像装置１に撮影して記録させる旨を指示入力するためのトリガスイッチ１５等を有している。
【００２０】
上記撮影/再生切換スイッチ１１は、例えば電子的撮像装置１の上面の略中央部に略リング状をなす回動スイッチとして配設され、上記トリガスイッチ１５は右手で電子的撮像装置１を把持したときにその人差し指で押圧可能となる位置に押圧スイッチとして配設され、上記昇順スイッチ１２と降順スイッチ１３は上記ディスプレイ８の右側部に押圧スイッチとして各配列されている。
【００２１】
本実施の形態では撮影／再生切換スイッチ１１で再生モードに設定し、連続再生スイッチ１４を操作した場合には、図３（Ａ）等に示すように再生処理された画像をサイクリック（循環的）に順次再生表示する。
【００２２】
本電子的撮像装置１には、画像を連続して再生表示する表示手段としてのディスプレイ８と、符号化された複数の画像を記憶する記憶手段としての記録媒体６と、この記憶手段より符号化/復号化部５により画像信号（画像データ）を連続して（或いは順次）読み出し、復号化処理して信号処理部４を介して制御部１０にその復号化した結果の情報を送り、制御部１０で再生可能かどうかを判定し、この判定結果に応じて再生可能な画像を表示制御部７を介して表示手段に送出するか否かを制御部１０で制御し、連続して画像を順次再生する場合には再生対象となる画像が再生可能か否かを必ず判定する画像再生装置を備えていることが特徴となっており、この構成により、単に一過性の原因で再生不能となった画像に対して、再生できる可能性を確保している。
【００２３】
なお、制御部１０で再生可能か否かの判定を行うようにしているが、信号処理部４でその判定を行うようにしても良いし、再生可能か否かの判定結果に応じて再生可能な画像を表示制御部７を介して表示手段に送出するか否かを制御することも信号処理部４で行うようにしても良い。
【００２４】
次に、このような構成の電子的撮像装置１による動作についてまず、撮像（画像記録）動作を説明する。
撮影を行う際には、撮影／再生切換スイッチ１１により、電子的撮像装置１のモードを撮影モードに設定する。
【００２５】
これにより上記撮像部３やフォーカシングモータ９等の撮像系に電力が供給されて、光学系２により撮像部３の撮像面に結像された被写体像はデジタル電気信号に変換され、信号処理部４において信号処理が行われた後に、表示制御部７を介してディスプレイ８に表示される。ユーザは、このディスプレイ８の表示を見ながら、被写体の構図等を決定する。
【００２６】
一方、上記信号処理部４の出力は制御部１０にも入力されて、該制御部１０において焦点位置が適切であるか否かが判断され、適切でない場合には、フォーカシングモータ９を制御して光学系２のフォーカシングレンズを駆動し、合焦位置になるように制御する。
【００２７】
そして、焦点位置や構図等が良好となってユーザが画像の記録を行いたい場合には、トリガスイッチ１５を押下すると、信号処理部４の出力が符号化/復号化部５により符号化されて、画像データが圧縮され、所定のフォーマットに基づいて、例えば１画像につき1ファイル単位として記録媒体６に記録される。
【００２８】
このとき、この画像ファイルには、上記画像データと、この画像データに対して規定された駒番号を含む付加データとが、データとして含まれるようになっている。
【００２９】
次に、本電子的撮像装置１により記録した画像を再生する際の動作について説明する。
再生を行う際には、撮影／再生切換スイッチ１１により、電子的撮像装置１のモードを再生モードに設定する。また、図示しない再生駒番号指定スイッチを操作すると、指定された駒番号の画像の再生が開始されて、該駒番号に対応する画像データが記録媒体６から読み出される。
【００３０】
ここで例えば２駒目の番号を指定した場合には、２駒目の画像データが読み出されて、符号化／復号化部５により復号化され、信号処理部４と表示制御部７を介してディスプレイ８には２駒目の画像が表示される。このとき、表示制御部７は、内蔵するキャラクタジェネレータにより駒番号（この場合には２）に対応するキャラクタを生成して、画像データに重畳して表示を行う。
【００３１】
一方、この再生モードにおいて、連続再生スイッチ１４をＯＮした場合には図２に示すフローチャートに従って、一定の表示時間毎に順次画像をサイクリックに再生表示する。
【００３２】
まず、制御部１０（のＣＰＵ）は最初のステップＳ１の表示画像中であるか否かの判断を行う。そして、表示中の画像が無い場合にはウエートをかけるか否かに対応する変数（或いはフラグ）ｗに０を設定し、さらにステップＳ３のブルーバック表示の処理を行い、ステップＳ５に移る。
【００３３】
このブルーバック表示の処理では表示制御部７の画像メモリに全面青に対応した画像データを書込み、この画像データを繰り返しディスプレイ８に表示して、ブルーバック表示を行う。
【００３４】
ステップＳ１の判断で表示中の画像がある場合には、ステップＳ４に示すように変数ｗに１をセットし、ステップＳ５のタイマリセット、或いは計測スタートの処理に移る。
制御部１０はその内部のタイマをリセットして再生表示する時間の計測を開始し、符号化／復号化部５に対し、ステップＳ６の次駒再生処理を開始させる。なお、初回の処理に際して次コマの再生処理とは、すなわち第１駒の再生処理である。
【００３５】
本実施の形態では圧縮された１駒の画像データを複号化して再生するまでの時間は各駒の画像をディスプレイ８に表示する表示時間よりは短くなるように設定している、つまり、再生処理時間＜表示時間としている。このように設定することにより、再生処理及び再生処理後の再生可能か否かの判定のための時間を十分に確保している。
例えば、再生処理に要する時間は図３では２秒（２ｓ）程度としており、表示時間はこれに対し十分な時間になるよう５秒（５ｓ）に設定している。
【００３６】
ステップＳ６の次駒再生処理を開始した後、次のステップＳ７で制御部１０はタイムＵＰか否かの判断を行う。つまり、所定の表示時間に達したか否かの判断を行う。
【００３７】
この判断は通常の場合にはタイムＵＰに該当しないで、ステップＳ１０の再生処理完了の判断処理に移る。一方、ステップＳ７の判断で、タイムＵＰした場合にはステップＳ８の警告表示をＯＮとして、警告表示を行わせ、次のステップＳ９で変数ｗに０をセットしてステップＳ１０に移る。
ステップＳ１０で再生処理が完了していない場合にはステップＳ７に戻り、完了している場合には次のステップＳ１１の再生可能か否かの判断を行う。
【００３８】
例えば、再生処理の際に符号化／複号化部５の複号化部は複号化の処理の結果の情報を信号処理部４を介して制御部１０に送り、制御部１０は処理結果が例えば再生画像として所定のフォーマットを満たしているか等をチェックして、再生処理された画像データが再生可能か否かの判断を行う。
【００３９】
そして、再生可能でないと判断した場合には、複号化の処理の結果、画質の良くない画像データが生成されてもその画像データを表示制御部７の画像メモリ７に送出することを行わない或いは禁止して、ステップＳ６に戻り、直ちに次駒再生処理を開始する。このため、その画像データは廃棄されるのと同等の結果になる（複号化の処理の途中で画像データの生成が不可能となるような場合もあり、そのような場合は例えばその時点で再生処理が中断され、適宜行われるエラー処理の中で再生不可能との情報が制御部１０に送られる）。
【００４０】
一方、ステップＳ１１の判断で、再生可能と判断した場合には、次のステップＳ１２で、警告表示をＯＦＦにする処理をした後、さらに次のステップＳ１３で変数ｗが０か否かの判断を行う。
【００４１】
変数ｗが０でない場合には次のステップＳ１４でタイムＵＰか否かの判断を行い、タイムＵＰするまで待って次のステップＳ１５に移る。一方、変数ｗが０の場合には、ステップＳ１５の表示更新の処理を行う。
【００４２】
この表示更新の処理では、表示制御部７を介してディスプレイ８に表示されている再生画像を更新する。具体的には符号化／複号化部５の複号化部で複号化された、つまり再生処理された画像データが信号処理部４を介して表示制御部７の画像メモリに格納（送出）される。この場合、この画像データで前の画像データが更新される。この画像メモリに格納された画像データは図示しないＤ／Ａ変換器を介してアナログの画像信号に変換され、ディスプレイ８で表示されることにり、表示の更新となる。
【００４３】
ステップＳ１５の表示更新の処理の後、次のステップＳ１６で変数ｗに１がセットされた後、ステップＳ５に戻り、再びタイマリセットして表示時間に対する計測スタートとなり、次の駒の再生処理を開始する。
【００４４】
このような連続再生モードでは、ステップＳ１の判断で、表示中の画像がないと判断した場合にはステップＳ３でブルーバック表示を行う。このブルーバック表示を図４の最初の画面で示す。また、図３では表示と再生処理の内容を時間経過と共に示し、表示の最初のＢＢはブルーバック表示を略記して示している。
【００４５】
再生処理により、各駒とも再生可能と判断された場合には、例えば図４（Ａ）に示すように１駒目、２駒目、３駒目の画像が一定時間（例えば５ｓ）毎に順次表示される。
【００４６】
次に、再生不能な場合が発生した場合に対する本実施の形態の特徴的な動作内容を図３を参照して説明する。
例えば２駒目が再生不能と判断された場合には、図３（Ａ）或いは図３（Ｂ）のようなタイミング図となり、２、３駒目が再生不能と判断された場合には図３（Ｃ）のようなタイミング図となり、さらに１駒目以外が再生不能と判断された場合には図３（Ｄ）のようになる。
【００４７】
なお、図３（Ａ）〜（Ｄ）において、表示及び再生処理のタイミング図の横軸は時間経過を示し、１、２等の数字は表示或いは再生処理される駒の番号を示し、また再生処理側で数字の後のＮＧは再生不能と判断された場合を示している。また、説明を簡単にするために、記録媒体６には１駒目から５駒目までの画像が圧縮して記録されているものとする。
【００４８】
最初にブルーバック表示（表示中の画像が無い場合）して、直ちにタイマリセットにより、表示時間の計測を開始し、かつ次駒再生処理（この場合には最初の再生処理となるので、１駒目の再生処理）を開始する。そして、再生処理時間（例えば２秒）の後に、この再生処理された１駒目の画像が表示される。この様子を図３では下から斜め上側の矢印で示している。
【００４９】
１駒目の画像が表示されると、直ちに次の２駒目の再生処理が開始する。そして、再生処理時間後にこの２駒目の画像が再生不能と判断される（図３ではＮＧ）と、直ちに次の３駒目の再生処理が開始する。
【００５０】
この３駒目の再生処理が再生可能となった場合には、図３（Ａ）に示すように１駒目の表示時間の後に３駒目の画像が表示される。そして、３駒目の表示が行われると、直ちに次の４駒目の再生処理が開始する。
【００５１】
この３駒目の再生処理で再生不能の場合には、図３（Ｃ）に示すように、直ちに次の４駒目の再生処理を開始する。この４駒目の再生処理を開始すると、その再生処理が終わらない前に所定の表示時間が経過する。この場合には図２のステップＳ７でタイムＵＰした場合に該当し、ステップＳ８の警告表示ＯＮの処理が行われ、再生処理が完了するまで、この状態が続く。つまり、警告表示を行うと共に、前の駒の画像を延長して表示する。
【００５２】
前の画像を延長して表示することにより、再生不可能な画像が連続した場合にも、再生画像が途切れることなく、表示でき、観察するユーザに不快感を与えないようにできる。
【００５３】
このように延長して前の画像を表示し、かつ警告表示を行う状態の表示画面の具体例としては例えば図４（Ｂ）に示すように１駒目の画像中に再生不能の駒、つまり２、３の画像がＮＧであり、次の画像をサーチしている警告表示を行うようにしても良い。
【００５４】
そして、４駒目の画像の再生処理が完了して、その画像が再生可能であると、直ちにその４駒目の画像を表示しかつ５駒目の再生処理を開始する（図３（Ｃ）参照）。
【００５５】
一方、この４駒目も再生不能であると、図３（Ｄ）のように直ちに次の５駒目の画像の再生処理を開始すると共に、警告表示ＯＮの状態が継続する。
そして、５駒目の画像の再生処理が完了して、その画像が再生可能であると、直ちにその５駒目の画像を表示しかつ循環的には次の駒となる１駒目の再生処理を開始する。
【００５６】
２、３、４駒及びこの５駒目も再生不能であると、図３（Ｄ）のように直ちに次の１駒目の画像の再生処理を開始すると共に、警告表示ＯＮの状態が継続する。そして、１駒目の再生処理が完了してその画像が再生可能であると、警告表示をＯＦＦにし、直ちにこの１駒目の画像が表示されると共に、２駒目の再生処理を開始する。そして、上述した動作を循環的に繰り返す。
【００５７】
図３（Ｄ）のような場合には１駒目が継続して表示されることになり、このような場合でも、本実施の形態では警告表示を行うので、例えば本撮像装置１が故障して１駒目だけの画像を継続して表示している場合とは異なり、正常に動作していることをユーザは確認できるし、不快感を軽減できる。
【００５８】
また、再生可能か否かの判断により、再生不可能と判断した場合には、直ちに次に駒の再生処理を開始することにより、再生不可能な画像が連続した場合にも、すでに表示している画像を延長表示しなければならない事態を最小限に抑制できる。
【００５９】
このような再生処理及び画像表示を行う本実施の形態では例えば図３（Ａ）に示すように２駒目が再生不能になった場合にも、循環的に再び１駒目の表示を開始した場合には直ちに２駒目の画像に対して再生処理を開始し、再生処理完了後にその画像が再生可能か否かの判断をして不能であれば直ちに３駒目の再生処理を開始する。つまり、記録媒体６に記録されて再生対象となる画像全てに対して、再生可能か否かの判定を必ず行うようにしている。
【００６０】
このような判定を行うことにより、単に一過性の原因（例えば記録媒体６を構成する着脱自在のメモリカードがそのメモリカード受けに接触がたまたま振動などで例えば１つのピンのみが不十分な接触状態になってしまい、再び外力等が加えられると通常の接続状態に戻るような原因とか、連続再生モードを選択した時の周囲の環境がたまたまノイズの発生源がある悪い環境であった場合等）でたまたま再生不能と判断された場合の画像が、その再生不能となった一過性の原因が解消された場合には再生可能な画像となり、その画像を再生表示できるようにしている。
【００６１】
例えば、図３（Ａ）で２駒目の画像は最初の再生処理では再生不能と判断され、２回目も同様に再生不能と判断されているが、１回目と２回目の再生処理の間で、再生不能となった一過性の原因が解消された場合には、２回目の再生処理の完了後の再生可能か否かの判定で再生可能となり、図３（Ｂ）に示すようにこの２駒目の画像を再生表示することができる。
【００６２】
このように過去に撮影されて記録媒体６に圧縮保存された画像は、撮影し直すことが不可能な場合が殆どである。従って、単に、一過性の原因でたまたま再生が不可能になった画像を再生できるメリットは大きい。
【００６３】
また、本実施の形態のような機能を備えない従来例では最初に再生不能と判定すると、その判定された情報を記憶しておいて、再びその画像に対し、再生処理する場合にはそれを行わないで再生不能という情報を用いて、ブルーバック表示等で代替していた。
【００６４】
このため、一過性で再生不能となった画像が常に再生不能であるような印象をユーザに与え、ユーザは再生不能ということから、その画像の上に新たな画像を記録（オーバライト）して完全に再生できなくしてしまう可能性があった。
【００６５】
また、ユーザがオーバライトしないでも、撮像装置側でオーバライトしてしまう場合もあり得る。これに対し、本実施の形態によれば、単に一過性でたまたま再生できない貴重な画像を、完全に再生不能にしてしまうことを未然に防止できる。
【００６６】
ここで、上記第１の実施の形態に関連したいくつかの変形例を示す。
上記ではステップＳ６に於いて行われる再生処理は常に「次コマ」であったが、ステップＳ１１でＮ（再生不能）と判断された後のすぐ次の回については次のコマではなく、前と同じコマについての再生処理を開始するようにしても良い。すなわち、１つのコマを再度再生処理を行って、なおかつ２回共、再生不能であった場合に次のコマの再生処理に移行する構成である。
【００６７】
この第１の変形例では、再生不能なコマに対して再度再生処理を行うから、既に例示したようなサイクリックな連続再生の場合に限らず、任意の連続再生について（すなわち同一コマの再生が１回限りの場合を含めて）一過性の原因による再生不良に対する再生可能性を高める効果がある。
【００６８】
第２の変形例は、ステップＳ６の処理に際し、［次コマ＝現在表示中のコマ］であった場合は以下の全てのステップの処理をジャンプして（ただし現在警告表示が出ている場合にはステップＳ１２と同様の警告表示オフのみを行ってから）直ちにステップＳ５に戻る（この際、その後のステップＳ６における「次コマ」は当然その次のコマの処理にインクリメントされる）構成である。
【００６９】
この第２の変形例では、既に再生表示中の画像が再度再生処理の対象とされた際に、新たに生じた一過性の原因のために再生不能と判断され、そのため再生されるべきコマが飛ばされたり、不当な警告表示がなされたりする不具合を回避できる効果がある（なお詳述すれば、この場合「現在表示中のコマ」とは、「例えば表示用のバッファメモリを大量に有するような構成の装置にあっては、現在実際には表示されてはいないが、既に再生処理が正常に完了したデータとしてバッファメモリ上に展開されている画像」のように、「必ず表示可能なものとして待機中の画像のコマ」を含むものである）。
【００７０】
ところで、上記第１、第２の変形例は主として構成に関する例であったが、第３の変形例として主として適用機能に関する変形例を次に示すと、連続再生の例としては上記サイクリック（循環的）に行われるもの以外にも例えば操作者が任意にプログラミングした再生順に従って順次再生を行うプログラム再生が挙げられる。
【００７１】
この場合再生順は任意に決められるから、サイクリックでなくても同一のコマが複数回再生対象となることがあるから、上記一過性の原因による再生不良に対する本発明の効果は極めて有意義である。
【００７２】
同様に、第４の変形例として、全ての（或いは選ばれた）コマに関して乱数発生プログラムに基づいたランダムな順番で連続再生を行うランダム再生を挙げれば、本発明の適用の意義は上記第３の変形例と同様である。
【００７３】
（第２の実施の形態）
次に本発明の第２の実施の形態を説明する。本実施の形態を含む撮像装置の構成は基本的には図１と同様であり、記録媒体６に画像を記録する操作を行った場合には、記録媒体６の記録容量に余裕があると、圧縮された同じ画像を２つの画像ファイルとして記録する。そして、一方をメインの画像とし、他方をサブの画像とする。そして、このメインの画像を１つの画像のみの場合の画像と同様に扱う（再生不可能となった場合にサブの画像がその役割を発揮し、それ以外ではその存在は無いと等しい）。
【００７４】
そして、再生モードで連続再生が選択された場合には、それぞれメインの画像のみに対して順次再生処理を行うが、再生不可能と判断された駒の画像に対してはサブの画像で同様の処理を行うようにしたものである。
【００７５】
図５は本実施の形態の処理内容を示すフローチャートである。このフローチャートは図２において、ステップＳ１１の再生可能かの判断で、再生不可能と判断された場合にはステップＳ７に戻らないで、さらにステップＳ２１のサブの駒（の画像）があるかの判断を行い、サブの駒が無い場合にはステップＳ７に戻り、サブの駒がある場合にはステップ２２のサブ駒再生処理開始の処理を行い、この処理後にステップＳ７に移るようにしたものである。
【００７６】
その他は図２と同様である。本実施の形態では記録媒体６の記録容量に余裕があると、圧縮された同じ画像を２つ生成して保存するので、仮にメインの画像が再生不能の場合にも、サブの画像では再生可能となる確率を大きくできる。なお、メインの画像で再生不可能で、サブの画像が再生可能となった場合にはこのサブの画像をメインの画像とし、再生不可能になったメインの画像をサブの画像にしたり、或いはこの再生不可能になったメインの画像を消去しても良い。
【００７７】
本実施の形態によれば、記録媒体６の記録容量の半分程度の画像駒数までは、メインとサブの画像として記録し、この状態からさらに記録を続けると、例えば古い順にサブの画像を消去して新しいメインだけの画像が記録される。
【００７８】
従って、記録駒数が少ない場合には各画像を高い信頼性で保存できる。そして、記録容量近くまで画像を記録した場合には通常の画像記録と同様となる。
本実施の形態によれば、記録媒体の記録容量を有効に利用する効果があり、それによって画像保存の信頼性を向上できる。
【００７９】
なお、上述の実施の形態では記録媒体６に圧縮された画像を記録（記憶）し、一方再生する場合には伸張して元の画像を復元（可逆的な場合も含むし、非可逆的な場合も含む）するようにしているが、記録媒体６に圧縮しないで記録し、表示する場合には読み出して再生表示する場合も含む。
また、上述した実施の形態を部分的などで組み合わせて構成される実施の形態も本発明に属する。
【００８０】
［付記］
１．画像を連続して再生表示する表示手段と、複数の画像を記憶する記憶手段と、この記憶手段より画像信号を連続して読み出し、表示可能かどうかを判定する判定手段と、この判定手段による判定結果に応じて再生可能な画像を表示手段に送出するか否かを制御する制御手段とを有し、上記連続して画像を再生する場合には再生対象となる画像が再生可能か否かを必ず判定する事を特徴とする画像再生装置。
（効果）
一過性の原因で再生不能と判定した画像に対しては、一過性の原因が解消した場合には再生可能と判定して表示手段にその画像を表示できる。
【００８１】
２．上記表示可能かどうかの判定は既に上記再生表示がなされている間に実行する事を特徴とする請求項１に記載の画像再生装置。
（効果）
再生画像がとぎれることなく表示され、観察する場合の不快感がない。
【００８２】
３．上記連続した再生表示は再生時間が所定時間以上である事を特徴とする請求項２に記載の画像再生装置。
（効果）
再生可能か否かの判定のための時間が充分に確保できる。
【００８３】
４．上記所定時間に達してなお次の画像の表示手段への送出が不可能な場合は、現在表示されている画像の表示を延長し、新たに次たる画像の表示手段への送出が可能になった時点で該次たる画像の表示手段への再生表示を行なうことを特徴とする請求項３に記載の画像再生装置。
（効果）
再生不可能な画像が連続している場合にも、再生画像がとぎれることなく表示され、観察する場合の不快感がない。
【００８４】
５．上記所定時間に達した後の上記現在表示されている画像の表示を延長する場合は、所定の警告表示を行なうことを特徴とする請求項４に記載の画像再生装置。
（効果）
同じ画像が徒に長時間再生されることによる故障との誤認を防止し、また不快感を軽減する。
【００８５】
６．上記判定手段が再生不可能な画像と判定した場合には、該再生不可能と判定された画像または次の画像に対して表示可能か否かの判定するための動作に着手することを特徴とする請求項１に記載の画像再生装置。
（効果）
再生不可能な画像が連続した場合にも、表示されている画像を延長して表示しなければ、途切れてしまう事態を抑制できると共に、既に表示されている画像を延長して表示しなければならない事態を最小限に抑制できる。
【００８６】
７．画像を連続して再生表示する表示手段と、複数の画像を記憶する記憶手段と、この記憶手段より画像信号を連続して読み出し、表示可能かどうかを判定する判定手段と、この判定手段による判定結果に応じて再生可能な画像を表示手段に送出するか否かを制御する制御手段とを有し、上記連続して画像を再生する場合には、再生対象となる画像が現在表示中の画像である場合を除いて、再生可能か否かを必ず判定する事を特徴とする画像再生装置。
（効果）
既に再生表示中の画像が再度再生処理の対象とされた際に、新たに生じた一過性の原因のために再生不能と判断され、そのため再生されるべきコマが飛ばされたり、不当な警告表示がなされたりする不具合を回避できる。
【００８７】
【発明の効果】
以上説明したように本発明によれば、再生不能となった画像があっても、再生画像がとぎれることなく表示され、観察する場合の不快感を解消するこのができ、また上記再生不能となった原因が単に一過性のものであった場合には、その原因が解消すれば次に再生できる可能性を確保でき、さらに所定時間内に再生処理が終了しない場合に、警告表示を行うことにより現在表示されている画像の表示時間を延長し、同じ画像が長時間再生されることによる故障との誤認を防止し、不快感を軽減することができる。
【図面の簡単な説明】
【図１】本発明の第１の実施の形態の画像再生装置の機能を備えた電子的撮像装置の全体構成を示すブロック図。
【図２】連続再生の場合の処理内容を示すフローチャート図。
【図３】連続再生の動作のタイミング図。
【図４】連続再生モードにおける再生表示される画像の具体例を示す図。
【図５】本発明の第２の実施の形態における連続再生の場合の処理内容を示すフローチャート図。
【符号の説明】
１…電子的撮像装置
３…撮像部
４…信号処理部
５…符号化／復号化部
６…記録媒体
７…表示制御部
８…ディスプレイ
１０…制御部
１１…撮影／再生切換スイッチ
１４…連続再生スイッチ
１５…トリガスイッチ
【図１】
0004054091.tif 000002
【図２】
0004054091.tif 000003
【図３】
0004054091.tif 000004
【図４】
0004054091.tif 000005
【図５】
0004054091.tif 000006